(57)【要約】  本発明は機能性男性用パンツに関し、男性の陰嚢が上部から挿入されて、内股と密着されないように陰嚢を固定し、陰嚢に風通しがよくなるように上下面が貫通して形成された陰嚢袋（１０）と；前記陰嚢が陰茎と接触されないように陰嚢袋（１０）の正面に上部が陰嚢袋（１０）と一体に結合された第１ポケット（２０）と；前記陰嚢と内股が接触されないように陰嚢袋（１０）の左右側に上部が陰嚢袋（１０）と一体に結合された第２ポケット及び第３ポケット（２２）と；前記陰嚢袋（１０）の高さを調節するために陰嚢袋（１０）の左右側とパンツ（１）内部の左右側との間にそれぞれ連結された長さ調節バンド（１１、１１ａ）と；使用者の尻の間が密着されないように前記陰嚢袋（１０）の背面とパンツ（１）の内部裏側との間に連結された固定バンド（１５）とを含む。本発明は男性の陰茎と陰嚢に風通しが良くなるようにして各種皮膚疾患の発生を抑制し、陰茎と陰嚢が自由に動くことができるようにして着心地を向上させ、陰嚢の快適な温度を保持することによって性機能を向上させるとともに、男性の健康増進を図る。【選択図】図２
2013532776.tif 000002
【特許請求の範囲】
【請求項１】
男性の陰嚢が上部から挿入されて内股と密着されないように陰嚢を固定し、陰嚢に風通しが良くなるように上下面が貫通して形成された陰嚢袋（１０）と；
前記陰嚢が陰茎と接触されないように陰嚢袋（１０）の正面に上部が陰嚢袋（１０）と一体に結合された第１ポケット（２０）と；
前記陰嚢と内股が接触されないように陰嚢袋（１０）の左右側に上部が陰嚢袋（１０）と一体に結合された第２ポケット及び第３ポケット（２２）と；
前記陰嚢袋（１０）の高さを調節するために陰嚢袋（１０）の左右側とパンツ（１）内部の左右側との間にそれぞれ連結された長さ調節バンド（１１、１１ａ）と；
使用者の尻の間が密着されないように前記陰嚢袋（１０）の背面とパンツ（１）の内部裏側との間に連結された固定バンド（１５）と；を含む機能性男性用パンツ。
【請求項２】
前記陰嚢袋（１０）は網または多孔質材質の布で形成される請求項１に記載の機能性男性用パンツ。
【請求項３】
前記陰嚢袋（１０）の下部を縛ることができるように外周縁に結合部材（４１、４２）が含まれる請求項１または２に記載の機能性男性用パンツ。
【請求項４】
前記第１ポケット（２０）とパンツ（１）の上部には陰茎を支持するための流線形の保形部材（２５）が結合される請求項１に記載の機能性男性用パンツ。
【請求項５】
前記第１ポケット（２０）〜第３ポケット（２２）に防湿部材または気血循環のための補助材が挿入された請求項１に記載の機能性男性用パンツ。
【請求項６】
前記長さ調節バンド（１１、１１ａ）及び固定バンド（１５）は面材質で形成される請求項１に記載の機能性男性用パンツ。
【請求項７】
前記第１ポケット（２０）〜第３ポケット（２２）と陰嚢袋（１０）との間を所定間隔に離隔させるために離隔部材（３０）が装着された請求項１に記載の機能性男性用パンツ。
【請求項８】
前記第１ポケット（２０）〜第３ポケット（２２）の表面はエンボシング処理された請求項１に記載の機能性男性用パンツ。
【請求項９】
前記第１ポケット（２０）の表面とパンツ（１）の内部前方にラミーや麻布を含む摩擦部材（５３）がつく請求項１に記載の機能性男性用パンツ。
【発明の詳細な説明】
【技術分野】
【０００１】
本発明は機能性男性用パンツに関し、さらに詳しくは、男性用四角パンツ内で陰茎及び陰嚢が股間に触れないように支持し、風通しがよくなるようにする機能を有する男性用パンツに関する。
【背景技術】
【０００２】
一般に、下着は肌の保護や汗の吸収、保温または体形の補正などのためのもので、その材質や機能のための多様な模様や形状で構成させる。特に、下着の１つであるパンツは男性や女性の生殖器官と肛門を保護し、衛生のために着用する。このようなパンツの主要機能の他にも、生殖器官や肛門で発生した汗や湿気または臭いなどを吸収したり遮断する機能を有する。
【０００３】
しかし、パンツは風通しを遮断して、吸収した汗や湿気によって生殖器官や肛門に湿疹または細菌性疾患を発生したりする。なお、下腹と内股との間の股間（股座またはそけい部ともいう）は密着されていて、風通しがよくなくて、皮膚疾患を引き起こす虞のある主要要因として作用する。
【０００４】
一方、男性の場合には、陰嚢と陰茎が突出して形成されていて、女性より皮膚疾患を引き起こす確率はやや低い方であるが、陰茎と陰嚢の表皮が密着され、陰嚢は股間と密着されていて、風通しが良くない場合に陰嚢湿疹や疱疹などが発生する虞があるという問題があった。
【０００５】
このような問題を鑑みて、従来先願において、男性用パンツに陰茎と陰嚢が密着されないようにする構造が出願された。即ち、韓国登録実用新案公報第２０−２１５４３０号の男性用健康パンツ、韓国登録実用新案公報第２０−２６６０９５号の男性用パンツ、韓国登録実用新案公報第２０−４２４９１５号の着脱可能な陰嚢袋及び登録実用新案公報第２０−３６８１１５号の多機能三角四角パンツなどが出願された。
【０００６】
上記従来技術は大部分が陰茎及び／または陰嚢の通気のための機能的な構成や構造で構成されているが、パンツの着脱が不便であるという短所があった。また、風通しや健康増進や性機能を強化するなどのための構造が不完全であったり着心地が低下するなどの問題点があった。また、従来技術は小便をするために陰茎を分離させることが不便で、小便した後に残尿が陰茎及び陰嚢について衛生的でないという問題点もあった。
【発明の概要】
【発明が解決しようとする課題】
【０００７】
本発明は上記問題点を解決するために案出されたもので、男性の陰茎と陰嚢とを隔離することができる構成及び構造で、風通しが良くなるようにして快適な温度が保持されるようにする機能性男性用パンツを提供することにその目的がある。
【０００８】
また、本発明はより衛生的な構造で清潔を保持することができ、男性の陰茎と陰嚢の動きを自由にし、性機能の向上を図って、男性の健康を増進することにその他の目的がある。
【課題を解決するための手段】
【０００９】
本発明は上記目的を達するために、男性の陰嚢が上部から挿入されて内股と密着されないように陰嚢を固定し、陰嚢に風通しがよくなるように上下面が貫通して形成された陰嚢袋と；上記陰嚢が陰茎と接触されないように陰嚢袋の正面に上部が陰嚢袋と一体に結合された第１ポケットと；上記陰嚢と内股が接触されないように陰嚢袋の左右側に上部が陰嚢袋と一体に結合された第２ポケット及び第３ポケットと；上記陰嚢袋の高さを調節するために陰嚢袋の左右側とパンツの内部左右側との間にそれぞれ連結された長さ調節バンドと；使用者の尻の間が密着されないように上記陰嚢袋の背面とパンツ内部の裏側との間に連結された固定バンドと；を含む機能性男性用パンツを提供することを特徴とする。
【発明の効果】
【００１０】
本発明は上記解決手段によって、男性の陰茎と陰嚢に風通しが良くなるようにして各種皮膚疾患の発生を抑制し、陰茎と陰嚢が自由に動くことができるようにして着心地を向上させ、小便することが便利な構造で小便した後に残尿が陰嚢につかなくて衛生と清潔を保持することができ、陰嚢の快適な温度を保持することによって性機能を向上させるとともに、男性の健康増進を図るという効果がある。
【図面の簡単な説明】
【００１１】
【図１】本発明による機能性男性用パンツ内に固定結合された陰嚢袋の構造を示した斜視図である。
【図２】本発明による陰嚢袋の一実施例を示した斜視図である。
【図３】本発明による陰嚢袋の詳細構成を示した斜視図である。
【図４】本発明による陰嚢袋の主要部位を示した斜視図である。
【図５】本発明による機能性男性用パンツの着用状態を可視的に示した側面図である。
【図６】本発明による陰嚢袋の他の実施例を示した斜視図である。
【符号の説明】
【００１２】
１  パンツ
１０  陰嚢袋
１１、１１ａ  長さ調節バンド
１２  クリップ
１３  リング
１５  固定バンド
２０  第１ポケット
２１  第２ポケット
２２  第３ポケット
２５  保形部材
３０  離隔部材
４１  ボタン
４２  ループ
５０  補助材
５１  防湿部材
５３  摩擦部材
【発明を実施するための形態】
【００１３】
以下、本発明による機能性男性用パンツについて添付された図面を参照して詳細に説明する。
【００１４】
図１の機能性男性用パンツの斜視図で、パンツ１の内部中央部位に陰嚢袋１０がパンツ１の内部の前側面で複数の長さ調節バンド１１、１１ａで固定され、パンツ１の内部の後ろで固定バンド１５で固定される。長さ調節バンド１１、１１ａはパンツ１の内部の前側面の上部と陰嚢袋１０の上部にそれぞれ裁縫されて固定される。そして固定バンド１５はパンツ１の内部の裏側の大体上部と陰嚢袋１０の上部に裁縫されて固定される。陰嚢袋１０、長さ調節バンド１１、１１ａ及び固定バンド１５は綿素材や肌に刺激を与えない素材が適用される。
【００１５】
そして、パンツ１の内部の前方には所定幅の摩擦部材５３がついていたり一体に裁縫される。摩擦部材５３はラミーや麻布などのやや粗い織物が適用される。
【００１６】
図２及び図３で、陰嚢袋１０は円筒状で、男性の陰嚢が上部から挿入されて内股と密着されないように陰嚢を固定し、陰嚢に風通しがよくなるように上下面が貫通して形成されるものである。陰嚢袋１０は上部外周縁に長さ調節バンド１１、１１ａと固定バンド１５とが裁縫されており、下部外周縁にはボタン及びループで構成された結合部材４１、４２が具備されている。結合部材４１、４２は陰嚢袋１０の下面を結合して陰嚢３を支持することができる。結合部材４１、４２は使用者の必要によって選択的に使うことができ、結合部材４１、４２としてチャックやベルクロファスナーなどを適用することができる。
【００１７】
パンツ１と陰嚢袋１０との間に連結された長さ調節バンド１１、１１ａは陰嚢袋１０の高さを調節するためのものである。即ち、使用者ごとに陰嚢の位置がそれぞれ異なるので、使用者の体の条件によって陰嚢袋１０の位置を調節することができる。長さ調節バンド１１、１１ａはクリップ１２及びリング１３でバンドの長さを調節することができる。
【００１８】
固定バンド１５は肛門を通るように連結されたもので、固定バンド１５はやや広い幅に形成されて使用者の尻の間が互いに当接して密着されないようにする。これはパンツ１やズボンが尻の間に挟まることを防止する。固定バンド１５は弾性力を有し、弾性によって長さを調節することが好ましい。
【００１９】
一方、陰嚢袋１０の前方には第１ポケット２０が裁縫されている。第１ポケット２０は陰嚢が陰茎と接触されないように陰嚢袋１０の正面に上部が陰嚢袋１０と一体に結合される。陰嚢袋１０と第１ポケット２０の上部には円弧状で陰茎を支持しながら円状の陰茎が通るようにする。なお、第１ポケット２０とパンツ１の上部には陰茎を支持するための流線形の保形部材２５が結合される。保形部材２５は温度によって形状を保持する合金やマグネットまたはゴム材を適用することができる。また、第１ポケット２０は使用者が小便をした後に陰茎についている残尿が陰嚢につかないようにして、パンツ使用による衛生と清潔を保持することができる便宜性を提供する。
【００２０】
第２ポケット２１と第３ポケット２２は陰嚢袋１０の左右側に具備され、第２ポケット２１と第３ポケット２２の上部が陰嚢袋１０の上部に一体に結合される。第２ポケット２１と第３ポケット２２は陰嚢と内股が互いに接触されないようにするためのものである。
【００２１】
上記第１ポケット２０〜第３ポケット２２には内部に所定容量の空間が形成されている。第１ポケット２０〜第３ポケット２２に防湿部材５１または気血循環のための機能性補助材５０とが挿入される。防湿部材５１は活性炭や炭粒子または防湿材などで湿気を吸収することができる。補助材５０はマグネット、玉、セラミックスまたは芳香剤などが板や粒子状で挿入される。補助材５０は陰茎及び陰嚢の気血循環、遠赤外線放射または香り放出などのためのもので、選択的に挿入することができる。
【００２２】
また、上記第１ポケット２０〜第３ポケット２２と陰嚢袋１０との間を所定間隔に離隔させるために離隔部材３０が装着される。離隔部材３０は自分の形状を保持する材質の布や多少硬い材質の織物などで形成されて空間の保持及びクッション機能を発揮する。離隔部材３０は陰嚢袋１０と第１ポケット２０〜第３ポケット２２との間にジグザグ状に段階を形成して挿入固定される。
【００２３】
そして上記第１ポケット２０〜第３ポケット２２の表面にはゴムやマグネットなどが含まれた突起がエンボシング処理されている。
【００２４】
図４の斜視図で、第１ポケット２０〜第３ポケット２２には防湿部材５１を挿入して内装し、陰嚢袋１０の下面にボタン４１及びループ４２で構成された結合部材４１、４２で結合した状態を示した。また、陰嚢袋１０の下面にはゴム縄を利用して開閉することもできる。
【００２５】
図５で、陰嚢袋が結合された男性用パンツを着した状態を可視的に示した側面図で、陰嚢袋１０には陰嚢３が挿入され、陰嚢袋１０の前方に陰茎２が露出されるように着用した。パンツ１の内部の先方両側の長さ調節バンド１１、１１ａを利用して陰嚢袋１０の高さを調節することができる。陰嚢袋１０の裏側に連結された固定バンド１５は使用者の尻の間の肛門の方向に沿って密着される。そして、使用者の選択によって陰嚢袋１０の下部外周縁に具備されたボタン４１とループ４２を利用して陰嚢袋１０を開閉することができる。
【００２６】
また、陰嚢袋１０の前方に具備された第１ポケット２０は陰茎２と陰嚢３との前部の間を分離して離隔させ、陰茎２と陰嚢３が密着されないようにし、第２ポケット２１と第３ポケット２２は陰嚢３と股間との間を分離して離隔させ、陰嚢３が内股に密着されないようにする。特に、股間の内股は大動脈が通る部分で陰嚢が容易に暖められることができるので、陰嚢と内股の間を第２ポケットと第３ポケットで分離及び隔離することができるようにする。
【００２７】
図６は本発明の陰嚢袋の他の実施例を示したもので、陰嚢袋１０を網または多孔質材質の布で形成した。これは陰嚢袋１０の通気性を向上させて陰嚢をより快適で凉しく保持するためのものである。なお、陰嚢袋１０に具備された第１ポケット２０〜第３ポケット２２も網または多孔質材質の布で形成して結合することができる。
【００２８】
このように本発明の機能性男性用パンツは、防湿部材や機能性補助材を選択的に挿入することによってパンツに多様な機能を付与し、陰茎と陰嚢または陰嚢と股間との間に風通しが良くなるようにして皮膚疾患を予防することができる。そして、使用者が小便をするために陰茎を容易に分離することができる便利な構造及び第１ポケットによって小便をした後に残尿が陰嚢につかなくて、衛生と清潔を保持することができる。なお、男性の陰嚢の温度が所定温度以上に上がらないようにして、性機能の向上を図ることができる。また、パンツの着用と脱服が簡便な構造で、便宜性を増大させ、パンツの着心地を向上させる。
【００２９】
以上の説明で、本発明を特定の実施例によって図示して説明したが、特許請求の範囲によって表した発明の思想及び領域から逸脱しない限度内で多様な改造及び変化が可能であることは、当該技術分野において通常の知識を有する者であれば容易に理解することができる。
【産業上の利用可能性】
【００３０】
このような本発明の機能性男性用パンツは、男性の陰茎と陰嚢に風通しが良くなるようにして、各種皮膚疾患の発生を抑制し、同時に、陰茎と陰嚢が自由に動くことができるようにして着心地を向上させることができ、なお、小便をすることが便利な構造と、小便した後に残尿が陰嚢につかなくて衛生と清潔を保持することができるとともに、陰嚢の快適な温度を保持することによって性機能を向上させ、且つ男性の健康増進を図ることができる。
【図１】
2013532776.tif 000003
【図２】
2013532776.tif 000004
【図３】
2013532776.tif 000005
【図４】
2013532776.tif 000006
【図５】
2013532776.tif 000007
【図６】
2013532776.tif 000008
【国際調査報告】
2013532776.tif 000009
2013532776.tif 000010
2013532776.tif 000011
2013532776.tif 000012